(57)【要約】      （修正有）【課題】塗装工程を簡略化して製造コストを下げるとともに、軽量かつ完全防水部材をケーシングに用いた、長寿命型の路肩灯を提供する。【解決手段】透明なプラスチックレンズ１と、同じくプラスチック製取付プレート４とを超音波溶着で結合して完全防水を担保し、その上部にプラスチックレンズを覆うように塗装便宜のためのプラスチック製カバー３を着脱自在に設置した。また、定電流ＩＣ５及び、光源には交換が基本的に不要で、エネルギー変換効率が高い（廃熱も少ない）ＬＥＤ２を採用した。【選択図】図１
0003200226.tif 000002
【実用新案登録請求の範囲】
【請求項１】
ＬＥＤ及びこのＬＥＤに印加される電圧変動を制御する定電流ＩＣとを前照面側に備えた基板と、この基板に電気を導通するための完全防水型の導通孔を備えたプラスチック製取付プレートと、前記基板を内包したうえで前記プラスチック製取付プレートと完全防水加工にて接合された透明なプラスチックレンズと、を備え、
前記プラスチック製取付プレートの反対側に前記プラスチックレンズを覆うようにプラスチック製カバーを着脱自在に設けたことを特徴とする路肩灯。
【請求項２】
前記プラスチック製取付プレートと透明なプラスチックレンズとの接合は、超音波溶着による完全防水加工を施したものであることを特徴とする請求項１に記載の路肩灯。
【請求項３】
前記プラスチックレンズには完全防水加工を施した雌ネジを設け、前記プラスチック製カバーには貫通孔を設け、ネジの締結によって前記プラスチックレンズと前記プラスチック製カバーを着脱自在としたことを特徴とする請求項１又は２に記載の路肩灯。
【請求項４】
前記プラスチック製カバーは、ＡＢＳ樹脂であることを特徴とする請求項１から３のいずれか１項に記載の路肩灯。
【請求項５】
前記プラスチック製取付プレートは、高熱伝導性ＰＰＳ樹脂であることを特徴とする請求項１から４のいずれか１項に記載の路肩灯。
【請求項６】
前記プラスチック製取付プレートは、ポリカーボネート樹脂をベースに、フィラーを充填したものであることを特徴とする請求項１から４のいずれか１項に記載の路肩灯。
【請求項７】
前記プラスチックレンズには、黄色を含めた長波長の色味を加えたことを特徴とする請求項１から６のいずれか１項に記載の路肩灯。
【考案の詳細な説明】
【技術分野】
【０００１】
本考案は、路肩灯に関するものであり、特にバス等の大型車輌に用いられる路肩灯の製造工程の簡略化や部品の改良等、全体に亘って改良を施した路肩灯に関するものである。
【背景技術】
【０００２】
バス等の大型車輌では、夜間やトンネル内等の暗部において、バックミラーだけでは後方確認が困難な場合や右左折時やバック時等に、安全確認のために路肩灯が非常に重要な役割を果たす。
以下、図面を参照して説明する。図２は、従来型の路肩灯の全体外観図である。下部に存在する平板状の金属製取付プレート１４が、鋼やアルミ等の金属製ケーシング１３との間にパッキンを介して覆われている。また、透明な窓部１１が前照面側に、パッキンを介して金属製ケーシング１３と一体型となってはめられている。
【０００３】
図中下部から外部電力を引き込み、白熱球１２にて前照面方向を照らすことにより、路肩灯としての機能を有効に発揮する。
【考案の概要】
【考案が解決しようとする課題】
【０００４】
しかしながら、従来の路肩灯では、金属製ケーシング１３を防錆等のために塗装する際、窓部１１及び金属製取付プレート１４の塗装（ペイント）を回避するため、窓部１１等にマスキングを施す必要があり、塗装工程が煩雑であった。また、白熱球では球切れによる交換の頻度が高く、しかも電気エネルギーの変換効率が悪く、多くが廃熱になってしまうという無駄が多かった。かかる廃熱は、アレーニウスの法則にしたがい、白熱球１２を含めた路肩灯内部部品全体の経年劣化を促進してしまう。
【０００５】
更に、路肩灯は常時外部に曝されて用いられるものであるが、パッキンを介した密封では耐水性が不充分であり、湿気が籠もることを回避するため、金属製取付プレート１４に、図示せぬ水抜孔を設けて外部湿度と同じになるよう調整する必要があった。
【０００６】
そこで、本考案は、このような実情に鑑みてなされたものであり、その目的は、塗装工程を簡略化して製造コストを下げるとともに、軽量かつ完全防水部材をケーシングに新たに用い、メンテナンスフリーで長寿命型の斬新な路肩灯を新たに提供しようとするものである。
【課題を解決するための手段】
【０００７】
上記課題に鑑みて鋭意研究した結果、本考案者は、透明なプラスチックレンズと、同じくプラスチック製取付プレートとを超音波溶着で結合して完全防水を担保し、その上部に塗装するためのプラスチック製カバーを着脱自在に設置した。また、完全防水された内部では、光源として、交換が基本的に不要で、エネルギー変換効率が高い（廃熱も少ない）ＬＥＤを基板に組み込んだ。更に、発熱を抑えた定電流ＩＣを基板に組み込み、電圧変動に影響されない高輝度ＬＥＤを光源として適用する構成を採用した。
【０００８】
具体的には、ＬＥＤ及びこのＬＥＤに印加される電圧変動を制御する定電流ＩＣとを前照面側に備えた基板と、この基板に電気を導通するための完全防水型の導通孔を備えたプラスチック製取付プレートと、前記基板を内包したうえで前記プラスチック製取付プレートと完全防水加工にて接合された透明なプラスチックレンズと、を備え、
前記プラスチック製取付プレートの反対側にはプラスチック製カバーを着脱自在に設けたことを特徴とする路肩灯を提供する。
【０００９】
かかる構成により、路肩灯の小型軽量化及び省エネ化が可能となるとともに、完全防水可能でメンテナンスフリーの路肩灯を得ることが可能となる。更に、塗装工程を簡略化することが可能となるため、製造コスト低減も可能となる。
【００１０】
また、前記プラスチック製取付プレートと透明なプラスチックレンズとの接合は、超音波溶着による完全防水加工を施したことを特徴とする路肩灯を提供する。
超音波溶着による完全防水加工手段を施すことにより、外部環境に曝される路肩灯の耐水性確保が可能となる。
【００１１】
また、前記プラスチックレンズには完全防水加工を施した雌ネジを設け、前記プラスチック製カバーには貫通孔を設け、ネジの締結によってこれらを着脱自在としたことを特徴とする路肩灯提供する。
かかる構成を採用することにより、外観上特に視認され易いプラスチック製カバーの着脱が容易となるため、当該カバーの塗装工程を簡略化することが可能となる。
【００１２】
また、前記プラスチック製カバーは、ＡＢＳ樹脂であることを特徴とする路肩灯を提供する。当該樹脂を用いることにより塗装の便宜を図ることが可能となる。
【００１３】
また、前記プラスチック製取付プレートは、高熱伝導性ＰＰＳ樹脂であることを特徴とする路肩灯を提供する。完全防水仕様により密封された本考案の路肩灯の放熱便宜を図るためである。
【００１４】
また、前記プラスチック製取付プレートは、ポリカーボネート樹脂をベースに、フィラーを充填したものであることを特徴とする路肩灯を提供する。完全防水仕様により密封された本考案の路肩灯の放熱便宜を図るためである。
【００１５】
また、前記プラスチックレンズには、黄色含めた長波長の色味を加えたことを特徴とする路肩灯を提供する。濃霧等による視界不良な環境下でも適用可能とするためである。
【考案の効果】
【００１６】
以上説明したように、本考案の路肩灯では、常時外部に露出した状態で使用されるものの、水分が混入しない超音波溶着によって、プラスチック製の、透明なレンズと取付プレートとを接合したため、完全防水仕様が可能となった。また、電圧変動を制御する定電流型ＩＣ及び、交換がほぼ不要でエネルギー変換効率の高いＬＥＤを耐水状態で内蔵することが可能となる。したがって、軽量かつ長寿命かつメンテナンスフリーで、省エネ型の路肩灯を得ることが可能となる。
【００１７】
また、塗装するためのプラスチック製カバーを着脱自在に別途備えたことにより、従来であればマスキングが必要となる塗装工程につき、取り外したプラスチック製カバー単体の塗装のみで済むため、塗装工程が大幅に簡略化され、ひいては路肩灯全体としての製造工程が簡略化される。
【図面の簡単な説明】
【００１８】
【図１】本考案の路肩灯を模式的に示す全体概略図である。
【図２】従来の路肩灯を模式的に示す全体概略図である。
【考案を実施するための形態】
【００１９】
以下、添付図面を参照しながら、本考案の路肩灯を実施するための最良形態を詳細に説明する。図１は、本考案の路肩灯を模式的に示す全体概略図である。
【００２０】
外部電源を引き込むための完全防水加工を施した導通孔を備えた板状のプラスチック製取付プレート４と、これを全体として覆う形状の透明なプラスチックレンズ１とを超音波溶着で結合し、完全防水仕様を実現した。この内部には、基板６を図１で示すように前照面側に配置し、基板６上には定電流型のＩＣ５とＬＥＤ２等を新たに備えた構造である。
【００２１】
更に、プラスチックレンズ１上部には、完全防水型の雌ネジ７を備えている。かかる構造によって、ネジ８により、貫通孔を形成したプラスチック製カバー３とプラスチックレンズ１との着脱が容易となる。
【００２２】
かかる構造を備えた路肩灯では、車輌に取り付けた際に外部から主に視認されるプラスチック製カバー３を塗装するに際し、ネジ８によって着脱容易となる。したがって、塗装する際にはプラスチック製カバー３のみを単体で取り外して簡易に塗装することが可能となる。すなわち、塗装に際して、プラスチックレンズ１やプラスチック製取付プレート４といった他の部分をマスキングする手間が省け、ひいては製造工程が大幅に簡略化される。また、外部環境に曝される部材のほとんどがプラスチック製のため、防錆化のための特別な処理も不要となる。
【００２３】
また、完全防水仕様にて密閉された、プラスチック製取付プレート４と透明なプラスチックレンズ１との内部には、基板６上に、外部電力のエネルギー変換効率の高いＬＥＤ２と、電圧変動等を安定に制御する定電流ＩＣ５とを設けた。このＩＣ５によりＬＥＤ２の輝度を一定に保つことが可能となる。また、ＬＥＤ２は白熱球とは異なり球切れによる交換が基本的に不要である。したがって、完全防水仕様で密閉した本考案の路肩灯は、メンテナンスフリーとすることが可能となる。
【００２４】
このように、従来型の路肩灯とは異なりほぼ全ての部品を新規に採用した本考案では、全体としての軽量化が実現した。また、寸法上かさばる白熱球を用いないため、容積の少ない、全体としてフラットな形状となった。その結果、省エネかつ長寿命でメンテナンスフリーな路肩灯を実現するに至った。また、本考案の路肩灯の、車輌への取付寸法については従来型の路肩灯と同一であるため、バス等へ取付交換するに際して車体への特別な設計変更も不要となる。
【００２５】
また、本考案のＬＥＤ２には、広い視野範囲を確保する日亜化学製の高輝度ＬＥＤを用いた。また、透明なプラスチックレンズ１には、長波長領域である黄色みを加える等、濃霧中など視界不良下での路肩灯の使用が可能なように、状況に応じて適宜選択自在な構成とした。霧中における可視光線の透過は、波長が長い方が望ましく、理論的には赤色が理想ではあるが、国際的には橙黄色または橙色が多く適用されている事情によるものである。また、本考案のプラスチック製カバー３には塗装便宜や外表面の美観に優れている等の長所に富んだＡＢＳ樹脂（アクリロニトリル、ブタジエン、スチレン共重合合成樹脂）を用いる。
【００２６】
また、プラスチック製取付プレート４の材料として、高熱伝導性ＰＰＳ樹脂（ポリフェニレンサルファイド樹脂）である、トレリナ（登録商標）を用いても良い。金属と異なりプラスチック樹脂は、熱伝導性に劣るものの、トレリナは、比較的熱伝導性に優れている樹脂である。したがって、完全防水仕様で密封された本考案の路肩灯内部の放熱特性を向上することが可能となる。
【００２７】
その他、フィラーを充填剤として混ぜた樹脂も一般に熱伝導性に優れており、特に、ポリカーボネート等の樹脂をベースに、各社が高熱伝導性のエンジニアリングプラスチックを開発している。これらをプラスチック製取付プレート４の材料として用いても良い。かかる手段によっても、完全防水仕様で密封された本考案の路肩灯内部の放熱特性を向上することが可能となる。
【産業上の利用可能性】
【００２８】
本考案の路肩灯は、バス等の大型車輌に適用する路肩灯として、広く路肩灯分野における産業の利用に供することができる。
【符号の説明】
【００２９】
１・・・プラスチックレンズ
２・・・ＬＥＤ
３・・・プラスチック製カバー
４・・・プラスチック製取付プレート
５・・・定電流ＩＣ
６・・・基板
７・・・完全防水型雌ネジ
８・・・ネジ
１１・・・窓部
１２・・・白熱球
１３・・・金属製ケーシング
１４・・・金属製取付プレート
【図１】
0003200226.tif 000003
【図２】
0003200226.tif 000004